(57)【特許請求の範囲】
【請求項１】
マット部にヘッドボード部が形成されてなる発泡合成樹脂製のベッド用芯材を取り外し可能の外装袋により被包し、該外装袋の一部を付着手段により前記ヘッドボード部の付け根隅部に沿って着脱自在に付着させたことを特徴とするヘッドボード付きベッド。
【請求項２】
外装袋が、その底面にファスナーにより開閉自在とされた蓋を有する開口部を設けることにより取り外し可能とされ、前記ファスナーの端部にファスナーのスライダー収納部を設けた請求項１記載のヘッドボード付きベッド。
【請求項３】
付着手段が、外装袋の内面に設けた複数本の繋着用紐と、ヘッドボード部の付け根隅部のマット部を上下方向に貫通する複数個の紐通し孔からとからなる請求項１記載のヘッドボード付きベッド。
【請求項４】
付着手段が、外装袋の内面に面ファスナーの一方を貼着し、その相手方の面ファスナーをヘッドボード部の付け根隅部のマット部上面に貼着してなる請求項１記載のヘッドボード付きベッド。
【発明の詳細な説明】
【０００１】
【発明の属する技術分野】
本発明は、発泡合成樹脂製のベッド用芯材を外装袋で被包してなるヘッドボード付きベッドに関する。
【０００２】
【従来の技術】
従来のこの種のヘッドボード付きベッドにおいては、外装袋が接着等により芯材と一体化されており、外装袋から芯材を取り出すことができないものが多かった。これは、単に芯材を外装袋に入れただけでは、外装袋が芯材のヘッドボード部の付け根隅部から浮き上がってベッドの外観を損ない、ベッドの商品価値を低下させるのを防ぐためである。
【０００３】
【発明が解決しようとする課題】
しかし、このような従来のベッドは外装袋を通してごみやほこりが内部に侵入し、芯材の窪み等に沈着するが、このようなベッドを清掃する場合には、ブラシや掃除機により外装袋の表面に付着したごみやほこりを除去する程度のことはできても、外装袋から芯材を取り出して、これらを別々に清掃したり丸洗いすることができないため、必ずしもベッドを清潔且つ衛生的に保つことができないという問題があった。
特に病人用や、幼児、子供用のベッドにあっては失禁や食物等によりベッドを汚す場合がしばしばあるが、これらは外装袋を通過して芯材を汚染することが多い。このような場合には外装袋の表面からは掃除することは不可能で、そのため内部で腐敗したり、細菌や害虫の巣となり、非衛生的となるばかりでなく、病気の発生や感染病を惹き起こす虞れがある。
本発明は、従来のヘッドボード付きベッドを改良して、このような問題を取り除くことを目的とする。
【０００４】
【課題を解決するための手段】
上記目的を達成するために、本発明のヘッドボード付きベッドは、マット部にヘッドボード部が成形されてなる発泡合成樹脂製のベッド用芯材を取り外し可能の外装袋により被包し、該外装袋の一部を付着手段により前記ヘッドボード部の付け根隅部に沿って着脱自在に付着させたものである。
【０００５】
前記外装袋が、その底面にファスナーにより開閉自在とされた蓋を有する開口部を設けることにより取り外し可能とされ、前記ファスナーの端部にファスナーのスライダー収納部を設けるのがよい。
【０００６】
また、前記付着手段は、外装袋の内面に設けた複数本の繋着用紐と、ヘッドボード部の付け根隅部のマット部を上下方向に貫通する複数個の紐通し孔からとからなるものとしたり、外装袋の内面に面ファスナーの一方を貼着し、その相手方の面ファスナーをヘッドボード部の付け根隅部のマット部状面に貼着してなるものとすることができる。
【０００７】
【作用】
本発明のヘッドボード付ベッドにおいては、外装袋の一部を付着手段によりヘッドボード部の付け根隅部に付着させているので、該隅部から外装袋が浮き上がってベッドの外観を損ない、ベッドの商品価値を低下させるということはない。そして、外装袋が取り外し可能であるので、ベッドを清掃する場合には、芯材から外装袋を取り外し、これらを別々に清掃したり丸洗いすることによりベッドを清潔且つ衛生的に保つことができる。
【０００８】
また、外装袋の底面にファスナーで開閉自在とされた蓋を有する開口部を設けて外装袋を取り外し可能とした場合には、ファスナーのスライダーを露出しないようにスライダー収納部に収納することにより、ベッドをひきずった時においてもスライダーが床や畳を傷つけるのを防ぐことができる。
【０００９】
なお、外装袋の一部をヘッドボード部の付け根隅部に付着させる場合に、繋着用紐を用いた付着手段による場合は、外装袋の紐をマット部の紐通し孔に挿通した後に紐どうしを結束すればよく、また、面ファスナーを用いた付着手段による場合は、外装袋側の面ファスナーをマット部側の面ファスナーに重ね合わせて押圧するだけでよい。
【００１０】
【実施例】
以下、本発明の実施例を図面に基づいて説明するが、本発明は以下に記載の実施例のみに限定されるものではない。
【００１１】
図１は本発明のヘッドボード付きベッドの一実施例を示す平面図、図２は図１の底面図、図３は図１のIII −III 線拡大断面図、図４は図３のIV−IV線断面図である。
【００１２】
図１及び図２に示すように、本実施例のヘッドボード付きベッドは、ベッド用芯材１を外装袋２により被包してなるものである。
芯材１は、発泡合成樹脂製で、マット部３の一端にヘッドボード部４が成形されている。マット部３は、３分割されており、軽量化や材料節録を考慮して底面に複数個の凹窩状肉抜部５が形成されている。なお、素材の発泡合成樹脂としては、ポリエチレン、ポリプロピレン、これらの共重合樹脂等のポリオレフィン系樹脂、ポリウレタン系樹脂、ポリスチレン系樹脂等が挙げられるが、就中、適度な緩衝性と合成とを兼ね備えている点でポリオレフィン系樹脂が好適である。
【００１３】
外装袋２は、織布、不織布、レザー、合成レザー等からなる袋状物で、その底面には芯材１の出し入れが可能な方形の開口部６が設けられ、開口部６の蓋７はその三方に設けられたファスナー８により開閉自在とされている。ファスナー８の端部には、そのスライダー９の収納部１０が設けられており、ベッドを引きずったときにスライダー９が床や畳を傷付けないようにスライダー９を収納部１０に収納しておく。
【００１４】
また、外装袋２は、その一部が付着手段１１によりヘッドボード部４の付け根隅部に沿って着脱自在に付着させられている。この付着手段１１は、図３及び図４に示すように、外装袋２の内面に複数本の繋着用紐１２の中央部を縫い付け又は接着により取り付けるとともに、ヘッドボード部４の付け根隅部のマット部３にマット部３を上下方向に貫通する複数個の紐通し孔１３を設け、紐１２の両端部を紐通し孔１３に挿通した後に紐１２の端部どうしをほどくことができる程度に結束してなるものである。これらの紐１２は、外装袋２がヘッドボード部４の付け根隅部から浮き上がってベッドの外観を損ない、ベッドの商品価値が低下するのを防いでいる。
【００１５】
上記構成のベッドを清掃する場合には、まず、外装袋２の底面に設けた開口部６の蓋７を開いて紐１２の結束をほどき、開口部６から芯材１を外部に取り出す。次に、ブラシや掃除機により芯材１及び外装袋２の表面に付着したごみやほこりを除去し、また必要に応じて芯材１及び外装袋２を別々に丸洗いすればよい。かくして、ベッドは常に清潔且つ衛生的に保たれる。
【００１６】
なお、上記付着手段１１の他の実施例として、図５及び図６に示す付着手段１４を用いてもよい。この付着手段１４は、図示のように上記付着手段１１の一変形例であって、外装袋２の内面に複数個の円形バンド１５の上部を縫い付け又は接着により取り付けるとともに、バンド１５の下部に繋着用紐１２の上端を縫付けまたは接着により取り付け、これらのバンド１５にプラスチック、木、金属等からなる棒６を挿脱自在に挿通するとともに、ヘッドボード部４の付け根隅部のマット部３に設けた紐通し孔１３に紐１２の下端を挿通して互いに結束してなるものである。
【００１７】
この付着手段１４によれば、紐１２はヘッドボード部４の付け根隅部における外装袋２に棒１６の表面にそうように張力を付与して、外装袋２の浮上がりのみならず小さな波打ちをも防止する。従って、ベッドは、その外観をより一層美化され、商品価値が向上する。この付着手段１４のその他の作用・効果は上記付着手段１１と同じである。
【００１８】
さらに、上記付着手段１１の他の実施例として、図７及び図８に示す付着手段１７を用いることもできる。この付着手段１７は、図示のように、外装袋２の内面に面ファスナーの一方１８を縫付け又は接着により貼着し、その相手方の面ファスナー１９をヘッドボード部４の付け根隅部のマット部３の上面に縫付け又は接着により貼着してなるものである。
【００１９】
この付着手段１７により外装袋２をヘッドボード部４の付け根隅部のマット部３に付着させるには、両面ファスナー１８、１９、を重ね合わせて常法から押圧するだけでよいので、付着操作は極めて簡単である。しかし、この場合は、例えば高圧水を吹き付け丸洗いをする場合、面ファスナー１９がマット部３から剥離することがあり、耐久性の点では紐による結束が優れている。
【００２０】
図示を省略したが、必要に応じて芯材をいったん取り外し自在の中袋で被包して中袋を芯材に積着し、さらにその上から取り外し可能の外装袋で被包してもよい。この場合、付着手段として上記付着手段１１又は１４を用いるときは、マット部とともに中袋にも繋着用紐を挿通する紐通し孔を設けておく必要がある。
【００２１】
尚、特開平３−１６５７１３号公報に記載されているように、マット部の表面を波形状としたり、また更に波形状の波頂部に小突起を設けて通気性及び指圧効果を確保したり、マット部に肉抜部に連通する通気孔を設けて更に通気性を改良することも可能である。更に、マット部を２分割としたり、また素材が軽量性に富むので分割しない１枚ものも可能である。
【００２２】
【発明の効果】
本発明は、上記のように構成されているのが、以下の利点を有する。
（１）外装袋の一部を付着手段により芯材のヘッドボード部の付け根隅部に付着させているので、該隅部から外装袋が浮き上がってベッドの外観を損ない、ベッドの商品価値を低下させるということはない。
【００２３】
（２）外装袋を取り外し可能としたので、芯材から外装袋を取り外し、これらを別々に清掃したり、丸洗いすることができる。したがって、ベッドは、マット部の窪みに沈着したごみやほこり、更には外装袋を通して侵入した汚物も完全に取り除くことができるので常に清潔且つ衛生的に保たれ、特に病人用や、病院用の院内感染を防止するベッドとして好適に使用することができる。
【００２４】
（３）外装袋の底面にファスナーで開閉自在とされた蓋を有する開口部を設けて外装袋を取り外し可能としたベッドにおいては、ファスナーの端部にスライダー収納部を設けて該収納部のスライダーを収納するので、ベッドをひきずってもスライダーが床や畳を傷つけることはない。
【００２５】
（４）芯材は、発泡合成樹脂製であるので、軽量で且つ適度の緩衝性を有する。したがって、畳やカーペットにベッドの跡がつかず、ベッドの移動も楽である。また、ベッドにぶつかっても怪我をするおそれがなく、そのため地震の際にも極めて安全である。
【図面の簡単な説明】
【図１】本発明の一実施例を示すヘッドボード付きベッドの平面図である。
【図２】図１の底面図である。
【図３】図１のIII −III 線拡大断面図で、付着手段の一実施例を示す。
【図４】図３のIV−IV線断面図である。
【図５】付着手段の他の実施例を示す要部断面図である。
【図６】図５のVI−VI線断面図である。
【図７】付着手段のさらに他の実施例を示す要部断面図である。
【図８】図７のVIII−VIII線断面図である。
【符号の説明】
１  芯材              ２  外装袋
３  マット部          ４  ヘッドボード部
６  開口部            ７  蓋
８  ファスナー        ９  スライダー
１０  スライダー収納部    １１  付着手段
１２  紐                  １３  紐通し孔
１７  付着手段            １８  面ファスナーの一方
１９  相手方の面ファスナー
【図１】
0003705884.tif 000002
【図２】
0003705884.tif 000003
【図３】
0003705884.tif 000004
【図４】
0003705884.tif 000005
【図５】
0003705884.tif 000006
【図６】
0003705884.tif 000007
【図７】
0003705884.tif 000008
【図８】
0003705884.tif 000009